(57)【要約】【課題】  データを確実に記録するデータ記録装置、及びデータの記録／追従再生中にタイムシフト機能を作動させる操作性の良否が使用場所に依存しないデータ記録再生装置の提供。【解決手段】  電圧測定部５は抵抗Ｒ２にかかる電圧を測定する。制御部１は電圧測定部５が測定した電圧値を抵抗Ｒ２の値で除算し、負荷抵抗Ｒ１を流れる電流値を算出し、算出した電流値、電池４ａの積算使用時間、及び電池４ａのフル充電時の電力容量に対して使用可能な時間に基づいて、電池４ａの電力残量を算出する。算出した電力残量が所定値以上である場合、アンテナ１０を介して受信した映像データを記録信号処理部１３にて電力残量に応じた圧縮率で圧縮して光ディスク１５ａに記録し、算出した電力残量が所定値未満である場合、アンテナ１０を介して受信した映像データを記録信号処理部１３にて電力残量に応じた圧縮率で圧縮してメモリ１６ａに記録する。【選択図】        図１
2005285286.tif 000002
【特許請求の範囲】
【請求項１】
データを記録する第１記録手段、及び該第１記録手段よりもデータの記録に係る消費電力が小さい第２記録手段を備え、電池により作動すべくなしてあるデータ記録装置において、
前記電池の電力残量を検出する残量検出手段と、
該残量検出手段が検出した電力残量に基づいて、前記第１記録手段又は第２記録手段のいずれかでデータを記録させる制御を行う制御手段と
を備えることを特徴とするデータ記録装置。
【請求項２】
前記残量検出手段が検出した電力残量が所定値より小さいか否かを比較する比較手段を更に備え、
該比較手段による比較結果が所定値より小さい場合に、前記制御手段は、前記第２記録手段でデータを記録させる制御を行うべくなしてある
ことを特徴とする請求項１に記載のデータ記録装置。
【請求項３】
前記残量検出手段が検出した電力残量に基づいてデータを圧縮する圧縮手段を更に備え、
前記第１記録手段及び第２記録手段は、前記圧縮手段が圧縮したデータを記録すべくなしてある
ことを特徴とする請求項１又は２に記載のデータ記録装置。
【請求項４】
前記電池の電力残量に対応するデータの圧縮率を規定したテーブルを更に備え、
前記圧縮手段は、前記テーブルに規定されている圧縮率でデータを圧縮すべくなしてある
ことを特徴とする請求項３に記載のデータ記録装置。
【請求項５】
前記残量検出手段が検出した電力残量が多い／少ない場合、前記圧縮手段は低い／高い圧縮率でデータを圧縮すべくなしてあることを特徴とする請求項４に記載のデータ記録装置。
【請求項６】
データを記録する記録手段、及び該記録手段によるデータの記録に追従して記録されたデータを再生する再生手段を内蔵してある筐体と、データを表示する表示部を設けてある覆体との一部同士を回動可能に連結してなり、前記筐体に対して前記覆体が折畳式に開閉するよう構成されたデータ記録再生装置において、
前記筐体に対する前記覆体の開閉を検出する開閉検出手段と、
前記再生手段がデータを追従再生する場合、前記開閉検出手段が前記覆体の閉を検出したときに、前記再生手段によるデータの再生を休止する休止手段と、
該休止手段がデータの再生を休止した場合に、データの再生の休止から前記開閉検出手段が前記覆体の開を検出するまでの間の時間を計測する計測手段と、
前記休止手段がデータの再生を休止している間に前記開閉検出手段が前記覆体の開を検出した場合に、前記開閉検出手段が前記覆体の開を検出した時点から前記計測手段が計測した時間だけ溯った時点以降に前記記録手段にて記録されたデータの前記再生手段による再生を再開させる再生再開手段と
を備えることを特徴とするデータ記録再生装置。
【請求項７】
データを記録する記録手段、及び該記録手段によるデータの記録に追従して記録されたデータを再生する再生手段を内蔵してある筐体と、データを表示する表示部を設けてある覆体との一部同士を回動可能に連結してなり、前記筐体に対して前記覆体が折畳式に開閉するよう構成されたデータ記録再生装置において、
前記筐体に対する前記覆体の開閉を検出する開閉検出手段と、
前記再生手段がデータを追従再生する場合、前記開閉検出手段が前記覆体の閉を検出したときに、前記再生手段によるデータの再生を休止する休止手段と、
該休止手段がデータの再生を休止した場合に、データの再生を休止したデータの記録箇所を記録する箇所記録手段と、
前記休止手段がデータの再生を休止している間に前記開閉検出手段が前記覆体の開を検出した場合に、前記箇所記録手段に記録してあるデータの記録箇所からデータの前記再生手段による再生を再開させる再生再開手段と
を備えることを特徴とするデータ記録再生装置。
【請求項８】
電池により作動すべくなしてあり、
前記電池の電力残量を検出する残量検出手段と、
該残量検出手段が検出した電力残量に基づいてデータを圧縮する圧縮手段と
を更に備え、
前記記録手段は、前記圧縮手段が圧縮したデータを記録すべくなしてある
ことを特徴とする請求項６又は７に記載のデータ記録再生装置。
【請求項９】
前記記録手段は、データを記録する第１記録手段、及び該第１記録手段よりもデータの記録に係る消費電力が小さい第２記録手段を有し、
電池により作動すべくなしてあり、
前記電池の電力残量を検出する残量検出手段と、
該残量検出手段が検出した電力残量に基づいて、前記第１記録手段又は第２記録手段のいずれかでデータを記録させる制御を行う制御手段と
を更に備える
ことを特徴とする請求項６又は７に記載のデータ記録再生装置。
【請求項１０】
前記残量検出手段が検出した電力残量に基づいてデータを圧縮する圧縮手段を更に備え、
前記第１記録手段及び第２記録手段は、前記圧縮手段が圧縮したデータを記録すべくなしてある
ことを特徴とする請求項９に記載のデータ記録再生装置。
【発明の詳細な説明】
【技術分野】
【０００１】
本発明はデータを記録するデータ記録装置、及びデータの記録に追従して記録されたデータを再生して覆体に設けられた表示部に表示するデータ記録再生装置に関し、より詳細には、電池の電力残量に応じて、記録に係る消費電力が異なる２つの記録手段のいずれかでデータを記録するデータ記録装置、及びデータの記録／追従再生中におけるデータの再生の休止／再開を覆体の閉／開動作により制御するデータ記録再生装置に関する。
【背景技術】
【０００２】
従来のデータ記録装置には、電池の電力残量を検出し、検出した電力残量に応じて映像データを圧縮してから記録媒体に記録するものがある（例えば、特許文献１参照）。
【０００３】
また、従来のデータ記録再生装置には、テレビジョン放送の映像データの記録媒体への記録中に映像データを追従再生して表示部に表示することにより、番組の録画及び視聴を並行して行えるものがある。その中でも、映像データの記録中における追従再生を記録時間から任意時間だけ遅延させて行うタイムシフト機能を備えるものもある（例えば、特許文献２参照）。
【０００４】
タイムシフト機能の使用例としては、中座のように番組の録画及び視聴中にその視聴を一時的に中断する必要が生じた場合、映像データの記録はそのまま継続し、再生のみを一時的に停止、つまり休止させ、そして中座から戻った場合に、中座した時点で休止していた映像データの再生を再開させることが挙げられる。このような中座においてタイムシフト機能を使用した場合、時間的には中座した時間分だけ遅延しているが、番組の内容的には中座の前後で抜けが生じることなく連続性を保って視聴することができる。
【特許文献１】特開平８−６５６２０号公報
【特許文献２】特開２００２−１９９３２７号公報
【発明の開示】
【発明が解決しようとする課題】
【０００５】
しかしながら、従来のデータ記録装置にあっては、データ量が比較的多い映像データを記録するので、記録媒体としては大容量の記録が可能なＤＶＤ又はハードディスク装置等が一般的に用いられる場合が多く、この場合、記録に係る電池の消費電力も無視できないほど大きく、したがって電池の電力残量に応じて映像データを圧縮しているものの、電池の電力残量が多い場合と少ない場合とで異なる記録制御を行うパワーマネージメントが考慮されていないため、映像データを確実に記録することができない虞があり、長時間使用することができないという問題がある。
【０００６】
一方、従来のデータ記録再生装置にあっては、例えば操作部又はリモートコントロールユニット（以下、リモコンユニットという）の一時停止ボタンの押圧操作によりタイムシフト機能を作動させるが、このようなボタン操作でタイムシフト機能を作動させるのが困難な場合がある。例えば、ノート型のパーソナルコンピュータのように、操作部を覆う覆体に表示部を設け、操作部に対して覆体が折畳式に開閉するよう構成された可搬型のデータ記録再生装置を屋外で両手で持って視聴している場合がこれに該当する。
【０００７】
屋外では屋内と異なり、突発的な事象が起こりやすいため、何か起こったその瞬間に視聴を一時的に中断してタイムシフト機能を作動させようとした場合、ボタンが複数設けられた操作部又はリモコンユニットの中から一時停止ボタンを正確に選択して押圧操作することが容易ではないからである。つまり、従来のデータ記録再生装置では、タイムシフト機能を作動させる操作性の良否が使用場所に依存しているという問題がある。
【０００８】
本発明は斯かる問題に鑑みてなされたものであり、その目的とするところは、電池の電力残量を検出し、検出した電力残量に応じて、データの記録に係る消費電力が異なる２つの記録手段のいずれかでデータを記録する構成とすることにより、電池の電力残量が少ない場合でも、データを確実に記録することができると共に、使用の長時間化を図ることができるデータ記録装置を提供することにある。
【０００９】
本発明の他の目的は、検出した電力残量が所定値より小さいか否かを比較し、比較結果が小さい場合に、データの記録に係る消費電力が小さい方の記録手段でデータを記録する構成とすることにより、データの記録中に電池の電力残量が少なくなった場合でもデータを確実に記録することができるデータ記録装置を提供することにある。
【００１０】
本発明の他の目的は、電池の電力残量に応じてデータを圧縮すると共に、圧縮したデータをいずれかの記録手段で記録する構成とすることにより、電池の電力残量が多い／少ない程、データを高い／低い画質で記録することができる他、記録に用いる記録媒体の容量を増加することなく、記録できるデータ量を増加することができると共に、使用の長時間化を更に図ることができるデータ記録装置を提供することにある。
【００１１】
本発明の他の目的は、電池の電力残量に対応するデータの圧縮率を規定したテーブルを更に備え、電池の電力残量に応じてテーブルに規定されている圧縮率でデータを圧縮する構成とすることにより、データの圧縮率を電池の電力残量に応じて柔軟に変更することができるデータ記録装置を提供することにある。
【００１２】
本発明の他の目的は、電池の電力残量が多い場合に低圧縮率でデータを圧縮し、電池の電力残量が少ない場合に高圧縮率でデータを圧縮する構成とすることにより、データの圧縮率を電池の電力残量に応じてバランスよく調整することができるデータ記録装置を提供することにある。
【００１３】
また、本発明の他の目的は、データの記録及び追従再生中におけるデータの再生の休止／再開を、表示部が設けられ、筐体に対して折畳式に開閉する覆体の閉／開動作により制御する構成とすることにより、タイムシフト機能を作動させる操作性の良否が使用場所に依存しないデータ記録再生装置を提供することにある。
【００１４】
本発明の他の目的は、作動電源となる電池の電力残量を検出し、検出した電力残量に基づいてデータを圧縮してから記録する構成とすることにより、可搬型の装置として適用することができる他、電池の電力残量が多い／少ない程、データを高い／低い画質で記録できることに加え、電池の電力残量が少ない場合でも、データを確実に記録することができると共に、記録に用いる記録媒体の容量を増加することなく、記録できるデータ量を増加することができ、使用の長時間化を図ることができるデータ記録再生装置を提供することにある。
【００１５】
本発明の他の目的は、作動電源となる電池の電力残量を検出し、検出した電力残量に基づいて、データの記録に係る消費電力が異なる２つの記録手段のいずれかでデータを記録する構成とすることにより、可搬型の装置として適用することができると共に、電池の電力残量が少ない場合でも、データをより確実に記録することができ、使用の長時間化を図ることができるデータ記録再生装置を提供することにある。
【００１６】
本発明の更に他の目的は、検出した電池の電力残量に基づいてデータを圧縮すると共に、圧縮したデータをいずれかの記録手段で記録する構成とすることにより、電池の電力残量が多い／少ない程、データを高い／低い画質で記録することができる他、記録に用いる記録媒体の容量を増加することなく、記録できるデータ量を増加することができると共に、使用の長時間化を更に図ることができるデータ記録再生装置を提供することにある。
【課題を解決するための手段】
【００１７】
本発明に係るデータ記録装置は、データを記録する第１記録手段、及び該第１記録手段よりもデータの記録に係る消費電力が小さい第２記録手段を備え、電池により作動すべくなしてあるデータ記録装置において、前記電池の電力残量を検出する残量検出手段と、該残量検出手段が検出した電力残量に基づいて、前記第１記録手段又は第２記録手段のいずれかでデータを記録させる制御を行う制御手段とを備える。
【００１８】
本発明にあっては、電池の電力残量を検出し、検出した電池の電力残量に基づいて第１記録手段又は第２記録手段のいずれかでデータを記録する。例えば、データの記録に回転駆動が必要な記録媒体（光ディスク又はハードディスク装置等）にデータを記録する手段を第１記録手段とし、データの記録に回転駆動が不要な記録媒体（半導体メモリ）にデータを記録する手段を第２記録手段とした場合、又はデータの記録に回転駆動が必要な２種類の記録媒体にデータを記録する手段の内、回転駆動の電力消費量が少ない方の記録手段を第１記録手段とし、回転駆動の電力消費量が多い方の記録手段を第２記録手段とした場合、電池の電力残量が多い場合には、消費電力が大きい第１記録手段でデータを記録し、逆に電池の電力残量が少ない場合には、消費電力が小さい第２記録手段でデータを記録する。
【００１９】
本発明に係るデータ記録装置においては、前記残量検出手段が検出した電力残量が所定値より小さいか否かを比較する比較手段を更に備え、該比較手段による比較結果が所定値より小さい場合に、前記制御手段は、前記第２記録手段でデータを記録させる制御を行うべくなしてあることを特徴とする。
【００２０】
本発明にあっては、検出した電池の電力残量が所定値よりも小さいか否かを比較し、比較結果が所定値より小さい場合に、第２記録手段でデータを記録する。例えば、記録開始時は電池の電力残力が多く、第１記録手段でデータを記録している最中に電池の電力残力が所定値より小さくなった場合には、第１記録手段によるデータの記録を制限し、必ず第２記録手段でデータを記録する。
【００２１】
本発明に係るデータ記録装置においては、前記残量検出手段が検出した電力残量に基づいてデータを圧縮する圧縮手段を更に備え、前記第１記録手段及び第２記録手段は、前記圧縮手段が圧縮したデータを記録すべくなしてあることを特徴とする。
【００２２】
本発明にあっては、検出した電池の電力残量に基づいてデータを圧縮すると共に、第１記録手段又は第２記録手段のいずれかで圧縮したデータを記録する。例えば、電池の電力残量が多い場合には、データを低圧縮率で圧縮してから第１記録手段で記録し、電池の電力残量が少ない場合には、データを高圧縮率で圧縮してから第２記録手段で記録する。つまり、電池の電力残量が多い程、データを高画質で記録し、電池の電力残量が少ない程、データを低画質で記録する。
【００２３】
本発明に係るデータ記録装置においては、前記電池の電力残量に対応するデータの圧縮率を規定したテーブルを更に備え、前記圧縮手段は、前記テーブルに規定されている圧縮率でデータを圧縮すべくなしてあることを特徴とする。
【００２４】
本発明にあっては、電池の電力残量に対応するデータの圧縮率を規定したテーブルを備えるため、電池の電力残量を検出した都度テーブルを参照し、電池の電力残量に応じてテーブルに規定されている圧縮率でデータを圧縮する。
【００２５】
本発明に係るデータ記録装置においては、前記残量検出手段が検出した電力残量が多い／少ない場合、前記圧縮手段は低い／高い圧縮率でデータを圧縮すべくなしてあることを特徴とする。
【００２６】
本発明にあっては、検出した電池の電力残量が多い場合に低圧縮率でデータを圧縮し、検出した電池の電力残量が少ない場合に高圧縮率でデータを圧縮する。
【００２７】
本発明に係るデータ記録再生装置は、データを記録する記録手段、及び該記録手段によるデータの記録に追従して記録されたデータを再生する再生手段を内蔵してある筐体と、データを表示する表示部を設けてある覆体との一部同士を回動可能に連結してなり、前記筐体に対して前記覆体が折畳式に開閉するよう構成されたデータ記録再生装置において、前記筐体に対する前記覆体の開閉を検出する開閉検出手段と、前記再生手段がデータを追従再生する場合、前記開閉検出手段が前記覆体の閉を検出したときに、前記再生手段によるデータの再生を休止する休止手段と、該休止手段がデータの再生を休止した場合に、データの再生の休止から前記開閉検出手段が前記覆体の開を検出するまでの間の時間を計測する計測手段と、前記休止手段がデータの再生を休止している間に前記開閉検出手段が前記覆体の開を検出した場合に、前記開閉検出手段が前記覆体の開を検出した時点から前記計測手段が計測した時間だけ溯った時点以降に前記記録手段にて記録されたデータの前記再生手段による再生を再開させる再生再開手段とを備えることを特徴とする。
【００２８】
本発明にあっては、筐体に対する覆体の開閉を検出するため、データの再生中（又は追従再生中）に覆体が閉じられた場合、使用者が再生データの閲覧又は視聴を中断し、覆体が再度開かれた場合、使用者が再生データの閲覧又は視聴を再開するということを判断する。
【００２９】
したがって、データの記録及び追従再生中に覆体の閉を検出した場合、データの記録はそのまま継続してデータの再生のみを休止する（タイムシフト機能を作動する）と共に、覆体が閉じられている時間を計測し、そしてデータの再生を休止している間に覆体の開を検出した場合、覆体が開けられた時点から計測した時間だけ溯った時点以降に記録されたデータの再生を再開する。
【００３０】
例えば、１時間分の映像データを記録及び追従再生する際に、映像データの記録開始から３０分後に１０分間だけ覆体が閉じられ、更に映像データの記録開始から５０分後に２５分間だけ覆体が再度閉じられた場合のタイムシフト制御を図９を参照しながら説明する。
【００３１】
まず、覆体が開かれている状態で時刻10:00:00（時：分：秒）に映像データを記録及び追従再生を開始し、時刻10:30:00に覆体が閉じられた場合、その閉を検出し、映像データの記録をそのまま継続するが、映像データの再生のみを休止すると同時に覆体が閉じられている時間の計測を開始する。
【００３２】
次に、時刻10:40:00に覆体が開けられた場合、その開を検出し、計測した時間は１０分となる。この時点では４０分間の映像データを記録しているが、覆体が開けられた時刻10:40:00から計測した時間（１０分）だけ溯った時刻（すなわち時刻10:30:00）以降に記録された映像データから再生を再開する。時刻10:40:00以降、映像データの記録及び追従再生をそれぞれ、後者が１０分遅延した状態を維持したまま継続する。
【００３３】
続いて、時刻10:50:00に覆体が再度閉じられた場合、その閉を検出し、映像データの記録をそのまま継続するが、映像データの再生のみを再度休止すると同時に覆体が閉じられている時間の計測を、前回の計測から継続して開始する。この時点で映像データは４０分だけ再生されている。
【００３４】
次に、時刻11:00:00に６０分の映像データの記録を終了するが、この時点では映像データの再生は休止したままである。続いて、時刻11:15:00に覆体が再度開けられた場合、その開を検出し、計測した時間は先の１０分に２５分を加えた計３５分となる。よって覆体が開けられた時刻11:15:00から計測した時間（３５分）だけ溯った時刻（すなわち時刻10:40:00）以降に記録された映像データから再生を再開する。そして、時刻11:15:00以降は映像データの再生のみを継続し、時刻11:35:00に、映像データの記録終了時から３５分遅延して６０分の映像データの再生を終了する。
【００３５】
本発明に係るデータ記録再生装置は、データを記録する記録手段、及び該記録手段によるデータの記録に追従して記録されたデータを再生する再生手段を内蔵してある筐体と、データを表示する表示部を設けてある覆体との一部同士を回動可能に連結してなり、前記筐体に対して前記覆体が折畳式に開閉するよう構成されたデータ記録再生装置において、前記筐体に対する前記覆体の開閉を検出する開閉検出手段と、前記再生手段がデータを追従再生する場合、前記開閉検出手段が前記覆体の閉を検出したときに、前記再生手段によるデータの再生を休止する休止手段と、該休止手段がデータの再生を休止した場合に、データの再生を休止したデータの記録箇所を記録する箇所記録手段と、前記休止手段がデータの再生を休止している間に前記開閉検出手段が前記覆体の開を検出した場合に、前記箇所記録手段に記録してあるデータの記録箇所からデータの前記再生手段による再生を再開させる再生再開手段とを備えることを特徴とする。
【００３６】
本発明にあっては、筐体に対する覆体の開閉を検出するため、データの再生中（又は追従再生中）に覆体が閉じられた場合、使用者が再生データの閲覧又は視聴を中断し、覆体が再度開かれた場合、使用者が再生データの閲覧又は視聴を再開するということを判断する。
【００３７】
したがって、データの記録及び追従再生中に覆体の閉を検出した場合、データの記録はそのまま継続してデータの再生のみを休止する（タイムシフト機能を作動する）と共に、覆体が閉じられた時点で再生を休止したデータの記録箇所を記録しておき、そしてこの間に覆体の開を検出した場合、覆体が閉じられた時点で記録しておいたデータの記録箇所からデータの再生を再開する。
【００３８】
例えば、１時間分の映像データを記録及び追従再生する際に、映像データの記録開始から３０分後に１０分間だけ覆体が閉じられ、更に映像データの記録開始から５０分後に２５分間だけ覆体が再度閉じられた場合のタイムシフト制御を図９を参照しながら説明する。
【００３９】
まず、覆体が開かれている状態で時刻10:00:00（時：分：秒）に映像データを記録及び追従再生を開始し、時刻10:30:00に覆体が閉じられた場合、その閉を検出し、映像データの記録をそのまま継続するが、映像データの再生のみを休止すると同時に、再生を休止した映像データの記録箇所を記録する。
【００４０】
次に、時刻10:40:00に覆体が開けられた場合、その開を検出し、この時点では４０分間の映像データを記録しているが、覆体が閉じられた時点で記録しておいた映像データの記録箇所（すなわち、時刻10:30:00時の記録に対応する記録箇所）から映像データの再生を再開する。時刻10:40:00以降、映像データの記録及び追従再生をそれぞれ、後者が１０分遅延した状態を維持したまま継続する。
【００４１】
続いて、時刻10:50:00に覆体が再度閉じられた場合、その閉を検出し、映像データの記録をそのまま継続するが、映像データの再生のみを再度休止すると同時に、再生を休止した映像データの記録箇所を記録する。この時点で映像データは４０分だけ再生されている。
【００４２】
次に、時刻11:00:00に６０分の映像データの記録を終了するが、この時点では映像データの再生は休止したままである。続いて、時刻11:15:00に覆体が再度開けられた場合、その開を検出し、覆体が閉じられた時点で記録しておいた映像データの記録箇所（すなわち、時刻10:40:00時の記録に対応する記録箇所）から映像データの再生を再開する。そして、時刻11:15:00以降は映像データの再生のみを継続し、時刻11:35:00に、映像データの記録終了時から３５分遅延して６０分のデータの再生を終了する。
【００４３】
本発明に係るデータ記録再生装置においては、電池により作動すべくなしてあり、前記電池の電力残量を検出する残量検出手段と、該残量検出手段が検出した電力残量に基づいてデータを圧縮する圧縮手段とを更に備え、前記記録手段は、前記圧縮手段が圧縮したデータを記録すべくなしてあることを特徴とする。
【００４４】
本発明にあっては、作動電源となる電池の電力残量を検出し、検出した電池の電力残量に基づいてデータを圧縮し、圧縮したデータを記録する。つまり、電池の電力残量が多い程、データを高画質で記録し、電池の電力残量が少ない程、データを低画質で記録する。
【００４５】
本発明に係るデータ記録再生装置においては、前記記録手段は、データを記録する第１記録手段、及び該第１記録手段よりもデータの記録に係る消費電力が小さい第２記録手段を有し、電池により作動すべくなしてあり、前記電池の電力残量を検出する残量検出手段と、該残量検出手段が検出した電力残量に基づいて、前記第１記録手段又は第２記録手段のいずれかでデータを記録させる制御を行う制御手段とを更に備えることを特徴とする。
【００４６】
本発明にあっては、作動電源となる電池の電力残量を検出し、検出した電池の電力残量に基づいて第１記録手段又は第２記録手段のいずれかでデータを記録する。例えば、データの記録に回転駆動が必要な記録媒体（光ディスク又はハードディスク装置等）にデータを記録する手段を第１記録手段とし、データの記録に回転駆動が不要な記録媒体（半導体メモリ）にデータを記録する手段を第２記録手段とした場合、又はデータの記録に回転駆動が必要な２種類の記録媒体にデータを記録する手段の内、回転駆動の電力消費量が少ない方の記録手段を第１記録手段とし、回転駆動の電力消費量が多い方の記録手段を第２記録手段とした場合、電池の電力残量が多い場合には、消費電力が大きい第１記録手段でデータを記録し、逆に電池の電力残量が少ない場合には、消費電力が小さい第２記録手段でデータを記録する。
【００４７】
本発明に係るデータ記録再生装置においては、前記残量検出手段が検出した電力残量に基づいてデータを圧縮する圧縮手段を更に備え、前記第１記録手段及び第２記録手段は、前記圧縮手段が圧縮したデータを記録すべくなしてあることを特徴とする。
【００４８】
本発明にあっては、検出した電池の電力残量に基づいてデータを圧縮すると共に、第１記録手段又は第２記録手段のいずれかで圧縮したデータを記録する。例えば、電池の電力残量が多い場合には、データを低圧縮率で圧縮してから第１記録手段で記録し、電池の電力残量が少ない場合には、データを高圧縮率で圧縮してから第２記録手段で記録する。つまり、電池の電力残量が多い程、データを高画質で記録し、電池の電力残量が少ない程、データを低画質で記録する。
【発明の効果】
【００４９】
本発明によれば、電池の電力残量を検出し、検出した電池の電力残量に基づいて第１記録手段、又は第１記録手段よりもデータの記録に係る消費電力が小さい第２記録手段のいずれかでデータを記録する構成としているため、電池の電力残量が少ない場合でもデータを確実に記録することができると共に、電池の寿命を延ばして使用の長時間化を図ることができる。
【００５０】
しかも、２種類の記録手段を有するため、装置の用途に合わせて第１記録手段及び第２記録手段を種々に組み合わせることにより、種々の記録媒体にデータを記録することができる。
【００５１】
例えば、装置を据置型として構成する場合、第１記録手段及び第２記録手段を、内蔵型ハードディスク装置及び着脱可能な半導体メモリの記録手段、又は、内蔵型ハードディスク装置及び光ディスクドライブとすることにより、前者は電池の電力残量が多い場合はデータを内蔵型ハードディスク装置に優先的に記録することができ、電池の電力残量が少なくなった場合はデータを半導体メモリに代行して記録することができ、後者は電池の電力残量が多い場合はデータを内蔵型ハードディスク装置に優先的に記録することができ、電池の電力残量が少なくなった場合はデータを光ディスクに代行して記録することができる。
【００５２】
また、装置を可搬型として構成する場合、第１記録手段及び第２記録手段を、光ディスクドライブ及び着脱可能な半導体メモリの記録手段とすることにより、電池の電力残量が多い場合はデータを光ディスクに優先的に記録することができ、電池の電力残量が多い場合はデータを半導体メモリに代行して記録することができる。
【００５３】
また、本発明によれば、電池の電力残量が所定値よりも小さいか否かを比較し、比較結果が所定値より小さい場合に、データを必ず第２記録手段で記録する構成としているため、データの記録中に電池の電力残量が少なくなった場合でもデータを確実に記録することができる。
【００５４】
しかも、２種類の記録手段を有するため、装置の用途に合わせて第１記録手段及び第２記録手段を種々に組み合わせることにより、種々の記録媒体にデータを記録することができる。
【００５５】
例えば、装置を据置型として構成する場合、第１記録手段及び第２記録手段を、内蔵型ハードディスク装置及び着脱可能な半導体メモリの記録手段、又は、内蔵型ハードディスク装置及び光ディスクドライブとすることにより、前者は電池の電力残量が所定値以上の場合はデータを内蔵型ハードディスク装置に優先的に記録することができ、電池の電力残量が所定値未満の場合はデータを半導体メモリに代行して記録することができ、後者は電池の電力残量が所定値以上の場合はデータを内蔵型ハードディスク装置に優先的に記録することができ、電池の電力残量が所定値未満の場合はデータを光ディスクに代行して記録することができる。
【００５６】
また、装置を可搬型として構成する場合、第１記録手段及び第２記録手段を、光ディスクドライブ及び着脱可能な半導体メモリの記録手段とすることにより、電池の電力残量が所定値以上の場合はデータを光ディスクに優先的に記録することができ、電池の電力残量が所定値未満の場合はデータを半導体メモリに代行して記録することができる。
【００５７】
また、本発明によれば、電池の電力残量に基づいてデータを圧縮すると共に、圧縮したデータを第１記録手段又は第２記録手段のいずれかで記録する構成としているため、電池の電力残量が多い／少ない程、データを高い／低い画質で記録することができる。また、データを圧縮しているため、記録に用いる記録媒体の容量を増加することなく、記録できるデータ量を増加することができると共に、記録に用いる記録媒体へのアクセス回数が低減するので電池の寿命を更に延ばして使用の長時間化を更に図ることができる。
【００５８】
また、本発明によれば、電池の電力残量に対応するデータの圧縮率を規定したテーブルを備え、電池の電力残量に応じてテーブルに規定されている圧縮率にてデータを圧縮する構成としているため、データの圧縮率を電池の電力残量に応じて柔軟に変更することができる。
【００５９】
また、本発明によれば、電池の電力残量が多い場合に低圧縮率でデータを圧縮し、電池の電力残量が少ない場合に高圧縮率でデータを圧縮する構成としているため、データの圧縮率を電池の電力残量に応じてバランスよく調整することができる。
【００６０】
また、本発明によれば、データの記録及び追従再生中におけるデータの再生の休止／再開を、従来のデータ記録再生装置のように操作部又はリモコンユニットの一時停止ボタンの押圧操作を行うことなく、表示部が設けられ、筐体に対して折畳式に開閉する覆体の閉／開動作にて制御する構成としているため、タイムシフト機能を作動させる操作性の良否が屋外又は屋内の使用場所のみならず、据置型又は可搬型の種類に依存することがない。
【００６１】
また、本発明によれば、作動電源となる電池の電力残量を検出し、検出した電力残量に基づいてデータを圧縮してから記録する構成としているため、可搬型の装置として適用することができる他、電池の電力残量が多い／少ない程、データを高い／低い画質で記録できることに加え、電池の電力残量が少ない場合でも、データを確実に記録することができると共に、記録に用いる記録媒体の容量を増加することなく、記録できるデータ量を増加することができ、電池の寿命を延ばして使用の長時間化を図ることができる。
【００６２】
また、本発明によれば、作動電源となる電池の電力残量を検出し、検出した電池の電力残量に基づいて第１記録手段、又は第１記録手段よりもデータの記録に係る消費電力が小さい第２記録手段のいずれかでデータを記録する構成としているため、可搬型の装置として適用することができると共に、電池の電力残量が少ない場合でも、データをより確実に記録することができ、電池の寿命を延ばして使用の長時間化を図ることができる。
【００６３】
更に、本発明によれば、電池の電力残量に基づいてデータを圧縮すると共に、圧縮したデータを第１記録手段又は第２記録手段のいずれかで記録する構成としているため、電池の電力残量が多い／少ない程、データを高い／低い画質で記録することができる他、記録に用いる記録媒体の容量を増加することなく、記録できるデータ量を増加することができると共に、記録に用いる記録媒体へのアクセス回数が低減するので電池の寿命を更に延ばして使用の長時間化を更に図ることができる。
【発明を実施するための最良の形態】
【００６４】
以下に、本発明をその実施の形態を示す図面に基づいて詳細に説明する。
（実施の形態１）
図１は本発明をテレビジョン放送の映像データを記録する装置に適用した場合の実施の形態１に係るデータ記録装置３０の構成を示すブロック図である。図において、１は装置全体の制御を行う制御部であり、ＭＰＵからなる。
【００６５】
ＲＯＭ２には装置の動作に必要な制御プログラム及び各種データ等が予め格納されており、制御部１はＲＯＭ２に格納してある制御プログラムに従って装置を構成するハードウェア各部の動作を制御する。ＲＡＭ３は制御部１による制御プログラムの実行時に発生するデータを一時的に記憶する。
【００６６】
電池装着部４は電池４ａが装着され、装置を構成するハードウェア各部に電圧を供給する。なお、電池装着部４から装置を構成するハードウェア各部への電圧供給線の図示は省略している。
【００６７】
電池装着部４に装着されている電池４ａの両極間には、負荷抵抗Ｒ１及び電流検出用の抵抗Ｒ２（Ｒ２≪Ｒ１）が直列接続されており、抵抗Ｒ２には電圧測定部５が並列接続されている。電圧測定部５は電池４ａにより負荷抵抗Ｒ１を流れる電流により抵抗Ｒ２にかかる電圧を測定し、測定した電圧値を制御部１へ通知する。制御部１は電圧測定部５から通知された電圧値を抵抗Ｒ２の値で除算することにより、負荷抵抗Ｒ１を流れる電流値を算出する。そして、制御部１は算出した電流値、電池４ａの積算使用時間、及び電池４ａのフル充電時の電力容量（Ａｈ）に対して使用可能な時間に基づいて、電池４ａの電力残量（％）を算出する。つまり、電池４ａの電力残量を検出する残量検出手段は、負荷抵抗Ｒ１、抵抗Ｒ２、電圧測定部５及び制御部１により実現する。
【００６８】
表示部６は液晶パネルからなり、制御部１の制御に基づいて、装置の動作状態（例えば映像データの記録／再生のカウント、映像データを記録する記録媒体（光ディスク１５ａ又はメモリ１６ａ）等）、ＲＯＭ２に格納してある各種メニュー、選択されたチャンネル及び時刻等の表示を行う。
【００６９】
操作部７は、表示部６の表示内容に従って使用者が装置を操作するための各種のボタン、例えばテレビ放送のチャンネルを選択するチャンネル選択ボタン、映像データを記録する記録ボタン、映像データを再生する再生ボタン、映像データの記録／再生を停止する停止ボタン、映像データの再生を一時停止（休止）する一時停止ボタン、メニューを表示するメニューボタン、メニューの内容を選択する上下左右ボタン、選択した内容を決定する決定ボタン等（図示せず）を備え、使用者から種々の操作指示の入力をこれらのボタンにて受け付ける。
【００７０】
なお、これらのボタンは一の操作指示の入力を一のボタンで受け付けるようにしたが、複数の操作指示の入力を一のボタン（例えば映像データの再生指示及びメニューの決定指示の入力を再生ボタン）で受け付けるようにしてもよい。
【００７１】
リモコンユニット８は操作部７と同様の各種のボタン（図示せず）を備え、使用者から種々の操作指示の入力をこれらのボタンにて受け付け、受け付けた指示情報を赤外線にてリモコン受信部９へ送信する。制御部１は操作部７が受け付けた指示情報、及びリモコン受信部９がリモコンユニット８から受信した指示情報に基づいて、装置を構成するハードウェア各部の動作を制御する。
【００７２】
選局復調部１１は制御部１の制御に基づいて、アンテナ１０が受信するテレビジョン放送のアナログの映像データを選局復調してＡＤ変換部１２へ出力する。ＡＤ変換部１２は制御部１の制御に基づいて、選局復調部１１から入力されたアナログの映像データをＡ／Ｄ変換し、デジタルの映像データとして記録信号処理部１３へ出力する。
【００７３】
記録信号処理部１３は制御部１の制御に基づいて、ＡＤ変換部１２から入力されたデジタルの映像データに圧縮符号化処理、誤り訂正符合の付加、及びフォーマット化を行ってからスイッチ１４を介して光ディスクドライブ１５又はメモリ装着部１６へ出力する。スイッチ１４は制御部１の制御に基づいて、記録信号処理部１３及び光ディスクドライブ１５の接続、又は記録信号処理部１３及びメモリ装着部１６の接続を切り換える。
【００７４】
光ディスクドライブ１５は、ＤＶＤ−Ｒ又はＤＶＤ−ＲＷ等の光ディスク１５ａが挿入され、制御部１の制御に基づいて、挿入されている光ディスク１５ａにスイッチ１４を介して記録信号処理部１３から入力された映像データを記録する。メモリ装着部１６は、不揮発性のメモリ１６ａが装着され、制御部１の制御に基づいて、装着されているメモリ１６ａにスイッチ１４を介して記録信号処理部１３から入力された映像データを記録する。
【００７５】
ここで、前述したＲＯＭ２に予め格納されている各種データには、図２に示すように、電池４ａの電力残量に対応する映像データの圧縮率及び映像データを記録する記録媒体が規定されたテーブルが含まれている。
【００７６】
図２に示すテーブルは、電池４ａの電力残量が８０％以上，６０％以上〜８０％未満，４０％以上〜６０％未満，４０％未満に対してそれぞれ、４種の記録モード（ＦＩＮＥモード，ＳＰ（Standard Play）モード，ＬＰ（Long Play）モード，ＥＰ（Extended Play）モード）が規定されている。
【００７７】
ＦＩＮＥモード（４種の記録モードの内、圧縮率最低）は、例えば記録容量が４．７ＧＢの光ディスクに略１時間分の映像データを記録できる程度の圧縮率である。同様に、ＳＰモード（圧縮率低）は略２時間分、ＬＰモード（圧縮率高）は略４時間分、ＥＰモード（圧縮率最高）は略６時間分の映像データを記録できる程度の圧縮率である。したがって、圧縮率が低い程、映像データは高画質で記録され、圧縮率が高い程、映像データは低画質で記録される。
【００７８】
また、電池４ａの電力残量が４０％以上の場合は光ディスク１５ａに、電池４ａの電力残量が４０％未満の場合はメモリ１６ａに映像データをそれぞれ記録するように規定されている。
【００７９】
なお、データ記録装置３０は光ディスクドライブ１５を備える構成としたが、光ディスクドライブ１５に換えてハードディスク装置を備え、更に外部装置と接続するインタフェースを備え、ハードディスク装置に記録した映像データをインタフェースを介して外部装置へ出力する構成としてもよい。
【００８０】
また、データ記録装置３０は光ディスクドライブ１５及びメモリ装着部１６を備えて映像データを光ディスク１５ａ及びメモリ１６ａに記録する構成としたが、光ディスクドライブ１５に換えてハードディスク装置を、メモリ装着部１６に換えて光ディスクドライブを備え、電池の電力残量が４０％以上の場合はハードディスク装置に、電池４ａの電力残量が４０％未満の場合は光ディスクに映像データをそれぞれ記録するように構成してもよい。
【００８１】
以上の如き構成の本発明の実施の形態１に係るデータ記録装置３０の制御部１による映像データの記録処理の手順を図３のフローチャートを用いて説明する。まず制御部１は、操作部７若しくはリモコンユニット８にて指定されたチャンネル、又は予約記録メニューにて予め指定されたチャンネルを選局復調部１１に設定する（Ｓ１１）。これにより、指定されたチャンネルのテレビジョン放送の映像データが選局復調部１１にて選局復調される。
【００８２】
次に制御部１は、操作部７若しくはリモコンユニット８の記録ボタンの押圧、又は予約記録メニューにて予め指定された記録開始時刻の到達を監視することにより、映像データの記録開始を監視する（Ｓ１２）。記録を開始しない場合（Ｓ１２：ＮＯ）、制御部１は記録開始の監視を続行する。一方、記録を開始する場合（Ｓ１２：ＹＥＳ）、制御部１は記録媒体切換記録処理を行う（Ｓ２０）。
【００８３】
以下、本発明の実施の形態１に係る記録媒体切換記録処理について説明する。図４は本発明の実施の形態１に係るデータ記録装置３０の制御部１による記録媒体切換記録処理の手順を示すフローチャートであり、図３のフローチャートに係るサブルーチンである。
【００８４】
まず制御部１は、電圧測定部５から通知された電圧値に基づく負荷抵抗Ｒ１の電流値、電池４ａの積算使用時間、及び電池４ａのフル充電時の電力容量（Ａｈ）に対して使用可能な時間に基づいて、電池４ａの電力残量（％）を算出する（Ｓ２１）。次に制御部１は、ＲＯＭ２に格納してある図２に示すテーブルを参照し、算出した電池４ａの電力残量に対応する圧縮率を記録信号処理部１３に設定する（Ｓ２２）。これにより、選局復調部１１及びＡＤ変換部１２を介して記録信号処理部１３に入力された映像データは、制御部１にて設定された圧縮率に圧縮される。
【００８５】
続いて制御部１は、ステップＳ２１にて算出した電池４ａの電力残量が４０％未満であるか否かを判定する（Ｓ２３）。電池４ａの電力残量が４０％以上であると判定した場合（Ｓ２３：ＮＯ）、制御部１は、スイッチ１４の接続を光ディスクドライブ１５側に切り換え（Ｓ２４）、映像データを光ディスクドライブ１５へ転送する（Ｓ２５）。これにより、記録信号処理部１３にて圧縮された映像データは光ディスク１５ａに記録される。
【００８６】
一方、電池４ａの電力残量が４０％未満であると判定した場合（Ｓ２３：ＹＥＳ）、制御部１は、スイッチ１４の接続をメモリ装着部１６側に切り換え（Ｓ２６）、映像データをメモリ装着部１６へ転送する（Ｓ２７）。これにより、記録信号処理部１３にて圧縮された映像データはメモリ１６ａに記録される。ステップＳ２５又はＳ２７の処理の後、制御部１は図３のメインルーチンへ戻る。
【００８７】
ここで図３のフローチャートに戻って、制御部１は、操作部７若しくはリモコンユニット８の停止ボタンの押圧、又は予約記録メニューにて予め指定された記録終了時刻の到達を監視することにより、映像データの記録終了を監視する（Ｓ３１）。記録を終了しない場合（Ｓ３１：ＮＯ）、制御部１はステップＳ２０へ移行し、以降の処理を繰り返す。一方、記録を終了する場合（Ｓ３１：ＹＥＳ）、制御部１は処理を終了する。
【００８８】
（実施の形態２）
図５は本発明をテレビジョン放送の映像データを記録する装置に適用した場合の実施の形態２に係るデータ記録装置４０の構成を示すブロック図である。データ記録装置４０は電圧検出用の抵抗Ｒ３を備える。
【００８９】
抵抗Ｒ３は電池装着部４に装着されている電池４ａの両極間に直列接続された負荷抵抗Ｒ１（Ｒ１≪Ｒ３）に並列接続されている。抵抗Ｒ３には電圧測定部５が並列接続されている。電圧測定部５は電池４ａにより負荷抵抗Ｒ１から分流して抵抗Ｒ３を流れる電流により抵抗Ｒ３にかかる電圧を測定し、測定した電圧値を制御部１へ通知する。制御部１は電圧測定部５から通知された電圧値により、電池４ａの電圧値を直接的に検出することができる。制御部１は検出した電池４ａの電圧値が電池４ａの所定時間使用経過後から徐々に降下するのを監視することにより、電池４ａの電力残量（％）を算出する。つまり、電池４ａの電力残量を検出する残量検出手段は、負荷抵抗Ｒ１、抵抗Ｒ３、電圧測定部５及び制御部１により実現する。
【００９０】
その他の構成については、制御部１の制御も含めて図１に示す実施の形態１に係るデータ記録装置３０と同様であるので、同様の部分については同一の符号を付して説明を省略する。
【００９１】
（実施の形態３）
図６は本発明をテレビジョン放送の映像データを記録／再生／表示する装置に適用した場合の実施の形態３に係るデータ記録再生装置５０の外観を示す斜視図、図７はその構成を示すブロック図である。
【００９２】
図において、２０及び２１はデータ記録再生装置５０を構成する筐体及び覆体であり、筐体２０及び覆体２１はそれぞれ、平面視形状が略長方形である偏平な直方体状をなす。筐体２０及び覆体２１の長辺を含む一端面は回動可能に枢支され、筐体２０に対して覆体２１が折畳式に開閉するように構成されている。
【００９３】
筐体２０の上面両側に操作部７が、その中央部に光ディスクドライブ１５の開閉蓋がそれぞれ設けられ、筐体２０の前面（前記一端面と対向する面）左側にメモリ装着部１６の開閉蓋が、筐体２０の前面右側にリモコン受信部９がそれぞれ設けられている。
【００９４】
また、筐体２０の上面右側の覆体２１を枢支している箇所に近い一角には穴部２０ａが設けられており、穴部２０ａからは筐体２０の内部から外部へ向けてリミットスイッチ２１ａ（開閉検出手段）の触杆２１ｂが突出している。リミットスイッチ２１ａは、覆体２１が閉じられた場合、触杆２１ｂが覆体２１に押圧されて筐体２０内に没入することによりオンとなって覆体２１の閉を検出し、覆体２１が開けられた場合、触杆２１ｂが覆体２１による押圧から開放されて筐体２０内から突出することによりオフとなって覆体２１の開を検出する。
【００９５】
覆体２１は液晶表示装置１９を内蔵し、覆体２１には、折畳時に操作部７と対向する面に液晶ディスプレイ１９ｂが設けられている。
【００９６】
再生処理部１７は制御部１の制御に基づいて、光ディスクドライブ１５が光ディスク１５ａから読み出した映像データ、及びメモリ装着部１６がメモリ１６ａから読み出した映像データを誤り訂正処理及び復号化伸張処理等して再生してスケーリング処理部１８へ出力する。スケーリング処理部１８は制御部１の制御に基づいて、再生処理部１７から入力された映像データを液晶表示装置１９に表示させる映像が最適なサイズとなるようにサイズ変換し、液晶表示装置１９へ出力する。
【００９７】
液晶表示装置１９は液晶ドライバ１９ａ及び液晶ディスプレイ１９ｂを備える。液晶ドライバ１９ａはスケーリング処理部１８から入力された映像データを、制御部１からの同期タイミングに合わせて液晶ディスプレイ１９ｂへ出力する。液晶ディスプレイ１９ｂは液晶ドライバ１９ａから入力された映像データに基づく映像を表示する。
【００９８】
なお、データ記録再生装置５０は光ディスクドライブ１５を備える構成としたが、光ディスクドライブ１５に換えてハードディスク装置を備える構成としてもよい。
【００９９】
その他の構成については、図１に示すデータ記録装置３０の構成と同様であるので、同様の部分については同一の符号を付して説明を省略する。
【０１００】
以上の如き構成の本発明の実施の形態３に係るデータ記録再生装置５０の制御部１による映像データの記録媒体切換記録処理と並行して行われる追従再生処理の手順を図８のフローチャートを用いて説明する。
【０１０１】
まず制御部１は、光ディスク１５ａ又はメモリ１６ａへの映像データの記録と同時的に、光ディスク１５ａ又はメモリ１６ａに記録された映像データを光ディスクドライブ１５又はメモリ装着部１６にて読み出し、読み出した映像データを再生信号処理部１７へ転送する（Ｓ４１）。これにより、映像データは再生信号処理部１７にて誤り訂正処理及び復号化伸張処理等が行われて再生され、スケーリング処理部１８にてサイズ変換され、サイズ変換された映像データに基づく映像が液晶ディスプレイ１９ｂに表示される。
【０１０２】
次に制御部１は、リミットスイッチ２１ａから入力される開閉状態の通知信号により覆体２１が閉じられたか否かを判定する（Ｓ４２）。覆体２１が開いたままであると判定した場合（Ｓ４２：ＮＯ）、制御部１はステップＳ４１へ移行し、以降の処理を繰り返す。一方、覆体２１が閉じられたと判定した場合（Ｓ４２：ＹＥＳ）、制御部１は映像データの読み出しを休止（一時停止）する（Ｓ４３）。これにより、覆体２１が閉じられた時点で、映像データの再生が休止（一時停止）され、映液晶ディスプレイ１９ｂへの映像の表示が中断される。
【０１０３】
続いて制御部１は、覆体２１が閉じられている時間を計測し（Ｓ４４）、次いでリミットスイッチ２１ａから入力される開閉状態の通知信号により覆体２１が開かれたか否かを判定する（Ｓ４５）。覆体２１が閉じられたままであると判定した場合（Ｓ４５：ＮＯ）、制御部１はステップＳ４３へ移行し、以降の処理を繰り返す。
【０１０４】
一方、覆体２１が開かれたと判定した場合（Ｓ４５：ＹＥＳ）、制御部１は、覆体２１が開けられた時点から、ステップＳ４４にて計測した時間だけ溯った時点以降に記録された映像データを読み出し、読み出した映像データを再生信号処理部１７へ転送する（Ｓ４６）。これにより、映像データの再生が再開され、液晶ディスプレイ１９ｂには、表示が中断された映像が中断される前の映像に連続して表示される。
【０１０５】
次に制御部１は、リミットスイッチ２１ａから入力される開閉状態の通知信号により覆体２１が閉じられたか否かを判定する（Ｓ４７）。覆体２１が閉じられたと判定した場合（Ｓ４７：ＹＥＳ）、制御部１はステップＳ４３へ移行し、以降の処理を繰り返す。一方、覆体２１が開いたままであると判定した場合（Ｓ４７：ＮＯ）、制御部１は、光ディスク１５ａ又はメモリ１６ａに記録された分の全ての映像データの読み出しが終了したか否かを判定する（Ｓ４８）。
【０１０６】
映像データの読み出しが終了していないと判定した場合（Ｓ４８：ＮＯ）、制御部１はステップＳ４６へ移行し、以降の処理を繰り返す。一方、映像データの読み出しが終了したと判定した場合（Ｓ４８：ＹＥＳ）、制御部１は処理を終了する。
【０１０７】
以上の本発明の実施の形態３に係るデータ記録再生装置５０の覆体２１の開閉動作による映像データの記録／追従再生のタイムシフト制御を図９を用いて説明する。図９では、１時間分の映像データを記録及び追従再生する際に、映像データの記録開始から３０分後に１０分間だけ覆体２１が閉じられ、更に映像データの記録開始から５０分後に２５分間だけ覆体２１が再度閉じられた場合を例に挙げている。
【０１０８】
まず、覆体２１が開かれている状態で時刻10:00:00（時：分：秒）に映像データを記録及び追従再生を開始し、時刻10:30:00に覆体２１が閉じられた場合、その閉を検出し、映像データの記録をそのまま継続するが、映像データの再生のみを休止すると同時に覆体２１が閉じられている時間の計測を開始する。
【０１０９】
次に、時刻10:40:00に覆体２１が開けられた場合、その開を検出し、計測した時間は１０分となる。この時点では４０分間の映像データを記録しているが、覆体２１が開けられた時刻10:40:00から計測した時間（１０分）だけ溯った時刻（すなわち時刻10:30:00）以降に記録された映像データから再生を再開する。時刻10:40:00以降、映像データの記録及び追従再生をそれぞれ、後者が１０分遅延した状態を維持したまま継続する。
【０１１０】
続いて、時刻10:50:00に覆体２１が再度閉じられた場合、その閉を検出し、映像データの記録をそのまま継続するが、映像データの再生のみを再度休止すると同時に覆体２１が閉じられている時間の計測を、前回の計測から継続して開始する。この時点で映像データは４０分だけ再生されている。
【０１１１】
次に、時刻11:00:00に６０分の映像データの記録を終了するが、この時点では映像データの再生は休止したままである。続いて、時刻11:15:00に覆体２１が再度開けられた場合、その開を検出し、計測した時間は先の１０分に２５分を加えた計３５分となる。よって覆体２１が開けられた時刻11:15:00から計測した時間（３５分）だけ溯った時刻（すなわち時刻10:40:00）以降に記録された映像データから再生を再開する。そして、時刻11:15:00以降は映像データの再生のみを継続し、時刻11:35:00に、映像データの記録終了時から３５分遅延して６０分の映像データの再生を終了する。
【０１１２】
なお、データ記録再生装置５０においては、映像データの記録及び追従再生中における映像データの再生の休止／再開の制御を覆体２１の閉／開の動作に合わせて行うのみならず、操作部７又はリモコンユニット８の一時停止ボタンの押圧操作により行うことも勿論可能である。この場合、一時停止ボタンの押圧を検出する都度、映像データの再生の休止及び再開が交互に行われる。
【０１１３】
また、本発明の実施の形態３に係るデータ記録再生装置５０の制御部１による映像データの記録処理及び記録媒体切換記録処理はそれぞれ、図３及び図４にて示したフローチャートの手順と同様であるので、これらの図面を参照するものとし、その説明は省略する。
【０１１４】
（実施の形態４）
図１０は本発明をテレビジョン放送の映像データを記録／再生／表示する装置に適用した場合の実施の形態４に係るデータ記録再生装置６０の構成を示すブロック図である。データ記録再生装置６０は負荷抵抗Ｒ１に並列接続された電圧検出用の抵抗Ｒ３及び電圧測定部５を備える。制御部１は、電池４ａにより負荷抵抗Ｒ１から分流して抵抗Ｒ３を流れる電流により電圧測定部５が測定した抵抗Ｒ３にかかる電圧値が電圧測定部５から通知されることにより、電池４ａの電圧値を直接的に検出し、検出した電池４ａの電圧値を監視することにより、電池４ａの電力残量（％）を算出する。
【０１１５】
その他の構成については、制御部１の制御も含めて図７に示す実施の形態３に係るデータ記録再生装置５０と同様であるので、同様の部分については同一の符号を付して説明を省略する。
【０１１６】
（実施の形態５）
実施の形態５におけるデータ記録再生装置７０の外観及び構成は、実施の形態３と同様であり、制御部１による映像データの記録媒体切換記録処理と並行して行われる追従再生処理の手順が異なる。以下、これについて図１１のフローチャートを用いて説明する。なお、図１１におけるステップＳ５１〜Ｓ５３の処理はそれぞれ、図８におけるステップＳ４１〜Ｓ４３の処理と同じであるので、その説明を省略する。
【０１１７】
ステップＳ５３の処理の後、制御部１は映像データの読み出しを休止した光ディスク１５ａ又はメモリ１６ａにおける記録箇所をＲＡＭ３に記憶する（Ｓ５４）。次に制御部１は、リミットスイッチ２１ａから入力される開閉状態の通知信号により覆体２１が開かれたか否かを判定する（Ｓ５５）。覆体２１が閉じられたままであると判定した場合（Ｓ５５：ＮＯ）、制御部１はステップＳ５３へ移行し、以降の処理を繰り返す。
【０１１８】
一方、覆体２１が開かれたと判定した場合（Ｓ５５：ＹＥＳ）、制御部１は、映像データの読み出しを休止した光ディスク１５ａ又はメモリ１６ａにおける記録箇所をＲＡＭ３から読み出し、読み出した記録箇所から映像データを読み出し、再生信号処理部１７へ転送する（Ｓ５６）。これにより、映像データの再生が再開され、液晶ディスプレイ１９ｂには、表示が中断された映像が中断される前の映像に連続して表示される。
【０１１９】
次に制御部１は、リミットスイッチ２１ａから入力される開閉状態の通知信号により覆体２１が閉じられたか否かを判定する（Ｓ５７）。覆体２１が閉じられたと判定した場合（Ｓ５７：ＹＥＳ）、制御部１はステップＳ５３へ移行し、以降の処理を繰り返す。一方、覆体２１が開いたままであると判定した場合（Ｓ５７：ＮＯ）、制御部１は、光ディスク１５ａ又はメモリ１６ａに記録された分の全ての映像データの読み出しが終了したか否かを判定する（Ｓ５８）。
【０１２０】
映像データの読み出しが終了していないと判定した場合（Ｓ５８：ＮＯ）、制御部１はステップＳ５６へ移行し、以降の処理を繰り返す。一方、映像データの読み出しが終了したと判定した場合（Ｓ５８：ＹＥＳ）、制御部１は処理を終了する。
【０１２１】
以上の本発明の実施の形態５に係るデータ記録再生装置７０の覆体２１の開閉動作による映像データの記録／追従再生のタイムシフト制御を、本発明の実施の形態３に係るデータ記録再生装置５０の場合と同様、図９を用いて説明する。
【０１２２】
まず、覆体２１が開かれている状態で時刻10:00:00（時：分：秒）に映像データを記録及び追従再生を開始し、時刻10:30:00に覆体２１が閉じられた場合、その閉を検出し、映像データの記録をそのまま継続するが、映像データの再生のみを休止すると同時に、再生を休止した映像データの記録箇所をＲＡＭ３に記憶する。
【０１２３】
次に、時刻10:40:00に覆体２１が開けられた場合、その開を検出し、この時点では４０分間の映像データを記録しているが、覆体２１が閉じられた時点でＲＡＭ３に記憶しておいた映像データの記録箇所（すなわち、時刻10:30:00時の記録に対応する記録箇所）から映像データの再生を再開する。時刻10:40:00以降、映像データの記録及び追従再生をそれぞれ、後者が１０分遅延した状態を維持したまま継続する。
【０１２４】
続いて、時刻10:50:00に覆体２１が再度閉じられた場合、その閉を検出し、映像データの記録をそのまま継続するが、映像データの再生のみを再度休止すると同時に、再生を休止した映像データの記録箇所を再びＲＡＭ３に記憶する。この時点で映像データは４０分だけ再生されている。
【０１２５】
次に、時刻11:00:00に６０分の映像データの記録を終了するが、この時点では映像データの再生は休止したままである。続いて、時刻11:15:00に覆体２１が再度開けられた場合、その開を検出し、覆体２１が閉じられた時点でＲＡＭ３に記憶しておいた映像データの記録箇所（すなわち、時刻10:40:00時の記録に対応する記録箇所）から映像データの再生を再開する。そして、時刻11:15:00以降は映像データの再生のみを継続し、時刻11:35:00に、映像データの記録終了時から３５分遅延して６０分のデータの再生を終了する。
【０１２６】
なお、データ記録再生装置７０においては、映像データの記録及び追従再生中における映像データの再生の休止／再開の制御を覆体２１の閉／開の動作に合わせて行ったが、これと同様に映像データの通常の再生の休止／再開の制御を覆体２１の閉／開の動作に合わせて行うことも勿論可能である。
【０１２７】
（実施の形態６）
図１２は本発明をテレビジョン放送の映像データを記録／再生／表示する装置に適用した場合の実施の形態６に係るデータ記録再生装置８０の構成を示すブロック図である。図１２に示すデータ記録再生装置８０は、スイッチ１４及びメモリ装着部１６を備えない点以外、図７に示す実施の形態３に係るデータ記録再生装置５０と同様である。
【０１２８】
以上の如き構成の本発明の実施の形態６に係るデータ記録再生装置８０の制御部１による映像データの記録処理の手順を図１３のフローチャートを用いて説明する。まず制御部１は、操作部７若しくはリモコンユニット８にて指定されたチャンネル、又は予約記録メニューにて予め指定されたチャンネルを選局復調部１１に設定する（Ｓ６１）。これにより、指定されたチャンネルのテレビジョン放送の映像データが選局復調部１１にて選局復調される。
【０１２９】
次に制御部１は、操作部７若しくはリモコンユニット８の記録ボタンの押圧、又は予約記録メニューにて予め指定された記録開始時刻の到達を監視することにより、映像データの記録開始を監視する（Ｓ６２）。記録を開始しない場合（Ｓ６２：ＮＯ）、制御部１は記録開始の監視を続行する。
【０１３０】
一方、記録を開始する場合（Ｓ６２：ＹＥＳ）、制御部１は、電圧測定部５から通知された電圧値に基づく負荷抵抗Ｒ１の電流値、電池４ａの積算使用時間、及び電池４ａのフル充電時の電力容量（Ａｈ）に対して使用可能な時間に基づいて、電池４ａの電力残量（％）を算出する（Ｓ６３）。次に制御部１は、ＲＯＭ２に格納してある図２に示すテーブルを参照し、算出した電池４ａの電力残量に対応する圧縮率を記録信号処理部１３に設定する（Ｓ６４）。これにより、選局復調部１１及びＡＤ変換部１２を介して記録信号処理部１３に入力された映像データは、制御部１にて設定された圧縮率に圧縮される。
【０１３１】
続いて制御部１は映像データを光ディスクドライブ１５へ転送する（Ｓ６５）。これにより、記録信号処理部１３にて圧縮された映像データは光ディスク１５ａに記録される。
【０１３２】
次に制御部１は、操作部７若しくはリモコンユニット８の停止ボタンの押圧、又は予約記録メニューにて予め指定された記録終了時刻の到達を監視することにより、映像データの記録終了を監視する（Ｓ６６）。記録を終了しない場合（Ｓ６６：ＮＯ）、制御部１はステップＳ６３へ移行し、以降の処理を繰り返す。一方、記録を終了する場合（Ｓ６６：ＹＥＳ）、制御部１は処理を終了する。
【０１３３】
なお、データ記録再生装置８０の制御部１による映像データの記録処理（図１３のステップＳ６５）と並行して行われる追従再生処理の手順は、図８又は図１１にて示したフローチャートの手順と同様であるので、これらの図面を参照するものとし、その説明は省略する。
【０１３４】
（実施の形態７）
図１４は本発明をテレビジョン放送の映像データを記録／再生／表示する装置に適用した場合の実施の形態７に係るデータ記録再生装置９０の構成を示すブロック図である。データ記録再生装置９０は電源２２を備える。電源２２は商用単相交流電圧（実効値１００Ｖ）を適宜の大きさの直流電圧に整流変換し、装置を構成するハードウェア各部に電圧を供給する。なお、電源２２から装置を構成するハードウェア各部への電圧供給線の図示は省略している。
【０１３５】
また、ＲＯＭ２に予め格納されている各種データには、図２に示すテーブルは含まれず、記録モード（ＦＩＮＥモード，ＳＰモード，ＬＰモード，ＥＰモード）の指定（つまり映像データの圧縮率の指定）を受け付けるための記録モード設定メニュー（図１６参照）用のデータが含まれる。
【０１３６】
その他の構成については、図１２に示す実施の形態３に係るデータ記録再生装置８０と同様であるので、同様の部分については同一の符号を付して説明を省略する。
【０１３７】
以上の如き構成の本発明の実施の形態７に係るデータ記録再生装置９０の制御部１による映像データの記録処理の手順を図１５のフローチャートを用いて説明する。まず制御部１は、操作部７若しくはリモコンユニット８にて指定されたチャンネル、又は予約記録メニューにて予め指定されたチャンネルを選局復調部１１に設定する（Ｓ７１）。これにより、指定されたチャンネルのテレビジョン放送の映像データが選局復調部１１にて選局復調される。
【０１３８】
次に制御部１は、操作部７若しくはリモコンユニット８の記録ボタンの押圧、又は予約記録メニューにて予め指定された記録開始時刻の到達を監視することにより、映像データの記録開始を監視する（Ｓ７２）。なお、記録ボタンの押圧により記録を開始する場合は、チャンネルの設定後、使用者が操作部７又はリモコンユニット８を操作して、液晶ディスプレイ１９ｂに図１６に示す記録モード設定メニューを表示させ、所望の記録モードを予め設定しておく。一方、予約記録の場合は、予約設定の際に図１６に示す記録モード設定メニューが液晶ディスプレイ１９ｂに表示されるため、使用者は記録ボタンの押圧により記録を開始する場合と同様に所望の記録モードを予め設定しておくことができる。なお、図１６における斜線部は、操作部７又はリモコンユニット８の上下左右ボタンにより選択されていることを示す。
【０１３９】
記録を開始しない場合（Ｓ７２：ＮＯ）、制御部１は記録開始の監視を続行する。一方、記録を開始する場合（Ｓ７２：ＹＥＳ）、制御部１は使用者からの入力操作にて設定された記録モードに基づく圧縮率を記録信号処理部１３に設定する（Ｓ７３）。これにより、選局復調部１１及びＡＤ変換部１２を介して記録信号処理部１３に入力された映像データは、制御部１にて設定された圧縮率に圧縮される。
【０１４０】
続いて制御部１は映像データを光ディスクドライブ１５へ転送する（Ｓ７４）。これにより、記録信号処理部１３にて圧縮された映像データは光ディスク１５ａに記録される。
【０１４１】
次に制御部１は、操作部７若しくはリモコンユニット８の停止ボタンの押圧、又は予約記録メニューにて予め指定された記録終了時刻の到達を監視することにより、映像データの記録終了を監視する（Ｓ７５）。記録を終了しない場合（Ｓ７５：ＮＯ）、制御部１はステップＳ７３へ移行し、以降の処理を繰り返す。一方、記録を終了する場合（Ｓ７５：ＹＥＳ）、制御部１は処理を終了する。
【０１４２】
なお、データ記録再生装置９０の制御部１による映像データの記録処理（図１５のステップＳ７４）と並行して行われる追従再生処理の手順は、図８又は図１１にて示したフローチャートの手順と同様であるので、これらの図面を参照するものとし、その説明は省略する。
【０１４３】
なお、前述した実施の形態３乃至６においては、データ記録再生装置５０乃至８０は電池４ａの電力残量に基づいて映像データを圧縮するように構成したが、これに限らず、実施の形態７と同様、記録モード設定メニュー用のデータをＲＯＭ２に予め格納しておき、図１７に示す記録モード設定メニューを液晶ディスプレイに１９ｂに表示し、表示した記録モード（ＦＩＮＥモード，ＳＰモード，ＬＰモード，ＥＰモード）の項目のいずれが選択されることにより、選択された記録モードに基づいて映像データを圧縮する構成としてもよい。
【０１４４】
この場合、電池４ａの実際の電力残量の程度に対応する圧縮率よりも更に高い圧縮率に設定できるため、使用の長時間化を更に図ることができる。また、使用者から所望の圧縮率を受け付けることができるため、使用者にとって使用勝手の柔軟性を高めることができる。
【０１４５】
図１７における「電池の電力残量」の斜線部は、制御部１が算出した電池４ａの電力残量の程度を示し、「記録モード」及び「記録メディア」の斜線部は、操作部７又はリモコンユニット８の上下左右ボタンにより選択されていることを示す。また、図１７における「記録モード」の「ＦＩＮＥ」の破線部は電池４ａの電力残量の程度により、選択が不可であることを示す。
【０１４６】
また、前述した実施の形態５及び６においては、データ記録再生装置７０及び８０は電池４ａの電力残量を負荷抵抗Ｒ１に直列接続された電流検出用の抵抗Ｒ２を用いて算出するように構成したが、これに限らず、実施の形態４と同様、負荷抵抗Ｒ１に並列接続された電圧検出用の抵抗Ｒ３を用いて算出するように構成してもよい。
【０１４７】
更に、前述した実施の形態１及び２においては、本発明をテレビジョン放送の映像データを記録する装置として適用したが、これに限らず、映像入力装置（例えばビデオカメラ）と接続可能に構成し、映像入力装置に記録してある映像データのみを、又はテレビジョン放送の映像データ及び映像入力装置に記録してある映像データの両方を記録する装置に適用してもよい。
【０１４８】
また、前述した実施の形態１及び２においては、本発明をテレビジョン放送の映像データを記録する装置として適用したが、これに限らず、音声データを記録する装置に適用してもよい。
【０１４９】
同様に、前述した実施の形態３乃至７においては、本発明をテレビジョン放送の映像データを記録／再生／表示する装置として適用したが、これに限らず、映像入力装置（例えばビデオカメラ）と接続可能に構成し、映像入力装置に記録してある映像データのみを、又はテレビジョン放送の映像データ及び映像入力装置に記録してある映像データの両方を記録／再生／表示する装置に適用してもよい。
【図面の簡単な説明】
【０１５０】
【図１】本発明をテレビジョン放送の映像データを記録する装置に適用した場合の実施の形態１に係るデータ記録装置の構成を示すブロック図である。
【図２】電池の電力残量に対応する映像データの圧縮率及び映像データの記録媒体が規定されたテーブルの例を示す説明図である。
【図３】本発明の実施の形態１に係るデータ記録装置の制御部による映像データの記録処理の手順を示すフローチャートである。
【図４】本発明の実施の形態１に係るデータ記録装置の制御部による記録処理の手順を示すフローチャートである。
【図５】本発明をテレビジョン放送の映像データを記録する装置に適用した場合の実施の形態２に係るデータ記録装置の構成を示すブロック図である。
【図６】本発明をテレビジョン放送の映像データを記録／再生／表示する装置に適用した場合の実施の形態３に係るデータ記録再生装置の外観を示す斜視図である。
【図７】本発明をテレビジョン放送の映像データを記録／再生／表示する装置に適用した場合の実施の形態３に係るデータ記録再生装置の構成を示すブロック図である。
【図８】本発明の実施の形態３に係るデータ記録再生装置の制御部による映像データの記録媒体切換記録処理と並行して行われる追従再生処理の手順を示すフローチャートである。
【図９】本発明の実施の形態３に係るデータ記録再生装置の覆体の開閉動作による映像データの記録／追従再生のタイムシフト制御を説明する図である。
【図１０】本発明をテレビジョン放送の映像データを記録／再生／表示する装置に適用した場合の実施の形態４に係るデータ記録再生装置の構成を示すブロック図である。
【図１１】本発明の実施の形態５に係るデータ記録再生装置の制御部による映像データの記録媒体切換記録処理と並行して行われる追従再生処理の手順を示すフローチャートである。
【図１２】本発明をテレビジョン放送の映像データを記録／再生／表示する装置に適用した場合の実施の形態６に係るデータ記録再生装置の構成を示すブロック図である。
【図１３】本発明の実施の形態６に係るデータ記録再生装置の制御部による映像データの記録処理の手順を示すフローチャートである。
【図１４】本発明をテレビジョン放送の映像データを記録／再生／表示する装置に適用した場合の実施の形態７に係るデータ記録再生装置の構成を示すブロック図である。
【図１５】本発明の実施の形態７に係るデータ記録再生装置の制御部による映像データの記録処理の手順を示すフローチャートである。
【図１６】液晶ディスプレイに表示される記録モード設定メニューの例を示す図である。
【図１７】液晶ディスプレイに表示される記録モード設定メニューの他の例を示す図である。
【符号の説明】
【０１５１】
１  制御部
４ａ  電池
５  電圧測定部
６  表示部
１３  記録信号処理部
１４  スイッチ
１５  光ディスクドライブ
１５ａ  光ディスク
１６  メモリ装着部
１６ａ  メモリ
１７  再生信号処理部
１９  液晶表示装置
２０  筐体
２１  覆体
２１ａ  リミットスイッチ（開閉検出手段）
２２  電源
３０，４０  データ記録装置
５０，６０，７０，８０，９０  データ記録再生装置
Ｒ１  負荷抵抗
Ｒ２  抵抗（電流検出用）
Ｒ３  抵抗（電圧検出用）
【図１】
2005285286.tif 000003
【図２】
2005285286.tif 000004
【図３】
2005285286.tif 000005
【図４】
2005285286.tif 000006
【図５】
2005285286.tif 000007
【図６】
2005285286.tif 000008
【図７】
2005285286.tif 000009
【図８】
2005285286.tif 000010
【図９】
2005285286.tif 000011
【図１０】
2005285286.tif 000012
【図１１】
2005285286.tif 000013
【図１２】
2005285286.tif 000014
【図１３】
2005285286.tif 000015
【図１４】
2005285286.tif 000016
【図１５】
2005285286.tif 000017
【図１６】
2005285286.tif 000018
【図１７】
2005285286.tif 000019